(57)【要約】保持手段に保持された手袋に手指を挿入して手袋を装着するために、手袋ＧＲの掌側部分の開口部エッジ８Ｄを甲側部分の開口部エッジ８Ｕよりも指側に偏位させて形成し、この手袋ＧＲの複数枚を、それらの開口部を上方に向け、下方側に位置する開口部エッジ８Ｄを備えた掌側部分を前側として、かつ上方側に位置する甲側部分の開口部エッジ８Ｕの近傍を下方側の開口部エッジ８Ｄの上方において係止して吊り下げ、最前列の手袋の開口部を手指挿入可能な大きさに開き、開口した開口部の上方から手指を挿入した後、さらに該手袋に対し、上記係止を外す力を加えて該手袋を装着する。
2003073879.tif 000002
【特許請求の範囲】
【請求項１】
複数の手袋を、該手袋の開口部を上方に向けた状態で上部を係止して前後に並列的に整列させて吊下げ、
前記複数の手袋のうちの最前列の手袋の開口部を手指挿入可能な大きさに開き、
該開口した開口部に上方から手指を挿入した後、さらに該手袋に対し、前記係止を外す力を加えて該手袋を装着するようにしたことを特徴とする手袋を手指に装着する方法。
【請求項２】
前記手袋の甲側部分および掌側部分のうちの一方の開口部エッジを他方の開口部エッジよりも指側に偏位させて形成し、該手袋の複数を、吊下げにより下方側に位置する開口部エッジを備えた手袋部分を前側とし、かつ上方側に位置する開口部エッジを備えた後側の手袋部分の開口部エッジ近傍を前記下方側に位置する開口部エッジの上方において係止して吊り下げることを特徴とする請求項１記載の方法。
【請求項３】
甲側部分および掌側部分のうちの一方の開口部エッジが他方の開口部エッジよりも指側に偏位して形成されてなる複数の手袋を、各手袋の開口部を上方に向け、下方側に位置する開口部エッジを備えた手袋部分を前側とし、かつ上方側に位置する開口部エッジを備えた後側の手袋部分の開口部エッジ近傍を前記下方側に位置する開口部エッジの上方において係止して、前後に並列的に整列させた状態で吊下げる吊下げ手段と、
前記吊下げられた複数の手袋のうちの最前列の手袋の開口部を手指挿入可能な大きさに開く開口手段と、
該開口手段を駆動する駆動手段と、
を備えてなることを特徴とする手袋を手指に装着する装置。
【請求項４】
前記吊下げ手段が、前記上方側に位置する開口部エッジを備えた後側の手袋部分の開口部エッジ近傍に形成された孔を貫通して前後方向に略水平に延びる係止ロッドを備え、該係止ロッドに前記複数の手袋が前後に並列的に整列して吊り下げられていることを特徴とする請求項３記載の装置。
【請求項５】
前記開口手段が、最前列の手袋の、前側かつ下方側の開口部エッジから該開口部エッジに対し略平行となる状態で該手袋内に上方から挿入された後、鉛直方向に延びる軸の周りで略９０°回動されて該手袋の開口部を開く一対の爪板を備えていることを特徴とする請求項３記載の装置。
【請求項６】
前記吊下げ手段により吊り下げられた複数の手袋のうちの最後列の手袋を、前記下方側に位置する開口部エッジの近傍において該手袋の後側から前方に向かって弾性的に押圧する押圧手段をさらに備えていることを特徴とする請求項５記載の装置。
【請求項７】
前記駆動手段が、足踏みペダルにより作動されるものであることを特徴とする請求項３ないし６のいずれか１項記載の装置。
【請求項８】
甲側部分および掌側部分のうちの一方の開口部エッジが他方の開口部エッジよりも指側に偏位した状態に形成され、かつ前記他方の開口部エッジを備えた手袋部分の開口部エッジ近傍に、該手袋の開口部を上方に向けた状態でかつ前記一方の開口部エッジの上方において吊下げ係止を可能にする被係止部が形成されていることを特徴とする手袋。
【請求項９】
前記被係止部が、係止ロッドの挿通を可能にする孔からなり、かつ該孔と該孔の近傍の開口部エッジとの間に、両者間の連通を容易にする脆弱部が形成されていることを特徴とする請求項８記載の手袋。
【請求項１０】
前記孔が十字状の切溝からなることを特徴とする請求項９記載の手袋。
【請求項１１】
前記脆弱部が、前記孔と該孔の近傍の開口部エッジとの間に延びるミシン目からなることを特徴とする請求項９または１０記載の手袋。
【請求項１２】
甲側部分および掌側部分のうちの一方の開口部エッジが他方の開口部エッジよりも指側に偏位した状態に形成されてなる複数の手袋を、各手袋の開口部を上方に向け、下方側に位置する開口部エッジを備えた手袋部分を前側とし、かつ上方側に位置する開口部エッジを備えた後側の手袋部分の開口部エッジ近傍を前記下方側に位置する開口部エッジの上方において係止して、前後に並列的に整列させた状態で吊下げて収容してなることを特徴とする手袋収容マガジン。
【請求項１３】
前記上方側に位置する開口部エッジを備えた後側の手袋部分の開口部エッジ近傍に形成された孔を貫通して前後方向に略水平に延びる係止ロッドを備え、該係止ロッドに前記複数の手袋が吊り下げられていることを特徴とする請求項１２記載の手袋収容マガジン。
【請求項１４】
前記係止ロッドに吊り下げられた複数の手袋のうちの最後列の手袋を、前記下方側に位置する開口部エッジの近傍において該手袋の後側から前方に向かって弾性的に押圧する押圧手段をさらに備えていることを特徴とする請求項１３載の手袋収容マガジン。
【発明の詳細な説明】
技術分野
本発明は、手袋の装着方法およびこの方法の実施に用いられる装置ならびに手袋に関し、特に食品加工工場等で使用される例えばポリエチレン樹脂からなる実質的に伸縮性を備えていない薄手の手袋の装着方法および装置装置ならびに手袋に関するものである。
背景技術
従来より、手の挿入口から手を挿入するだけで手袋を手指に装着することができる手袋装着方法および装置が種々提案されている。
例えば特開平１０−１０８８７０号には、伸縮自在な材料で形成された手袋を手指に装着する方法および装置が開示されており、上記方法は、手袋の開口部の一方側と他方側とを保持手段により開口部を上方に向けて保持してその弾性力に抗して伸長させ、この伸長された手袋の開口部に使用者の手指を挿入してこの手袋を装着した後、上記保持手段を開放し、保持手段から手袋を離脱させることを特徴とするものである。
しかしながら、上述した後方記載の手袋の装着方法には、下記のような問題があった。すなわち、
（１）手袋の開口部を保持してその弾性力に抗して伸長させる必要があるから、ポリエチレン樹脂等からなる実質的に伸縮性を有しない手袋には適用できない。
（２）手袋の装着に先立って、手袋を１枚ずつ手袋保持手段に取り付けなければならないから、そのための手間と時間を必要とする。
（３）上記手袋保持手段に手袋を１枚ずつ取り付ける際に手が手袋の指に触れて清潔性が損なわれたり、専用の取付け装置が必要になったりする。
そこで本発明は、食品加工工場等で使用される実質的に伸縮性を備えていない薄手の手袋を清潔性を保った状態で極めて短時間に安全に装着することができる手袋の装着方法および装置ならびに手袋を提供することを目的とするものである。
発明の開示
本発明による手袋の装着方法は、複数の手袋を、これら手袋の開口部を上方に向けた状態で上部を係止して前後に並列的に整列させて吊下げ、
上記複数の手袋のうちの最前列の手袋の開口部を手指挿入可能な大きさに開き、
この開口した開口部に上方から手指を挿入した後、さらにこの手袋に対し、前記係止を外す力を加えて該手袋を装着するようにしたことを特徴とするものである。
上記方法においては、手袋の甲側部分および掌側部分のうちの一方の手袋部分の開口部エッジ、例えば掌側部分の開口部エッジを、他方の手袋部分の開口部エッジ、すなわち甲側部分の開口部エッジよりも指側に偏位させて形成し、この手袋の複数を、吊下げにより下方側に位置する開口部エッジを備えた手袋部分、すなわち掌側部分を前側とし、かつ上方側に位置する開口部エッジを備えた後側の手袋部分、すなわち甲側部分の開口部エッジ近傍を、下方側に位置する開口部エッジ、すなわち掌側部分の開口部エッジの上方において係止して吊り下げるようにすることが好ましい。
本発明による手袋の装着装置は、甲側部分および掌側部分のうちの一方の手袋部分の開口部エッジ、例えば掌側部分の開口部エッジが、他方の手袋部分の開口部エッジ、すなわち甲側部分の開口部エッジよりも指側に偏位して形成されてなる複数の手袋を、各手袋の開口部を上方に向け、下方側に位置する開口部エッジを備えた手袋部分、すなわち掌側部分を前側とし、かつ上方側に位置する開口部エッジを備えた後側の手袋部分、すなわち甲側部分の開口部エッジ近傍を、下方側に位置する開口部エッジ、すなわち掌側部分の開口部エッジの上方において係止して、前後に並列的に整列させた状態で吊下げる吊下げ手段と、
上記吊下げられた複数の手袋のうちの最前列の手袋の開口部を手指挿入可能な大きさに開く開口手段と、
この開口手段を駆動する駆動手段と、
を備えてなることを特徴とするものである。
上記吊下げ手段は、上方側に位置する開口部エッジを備えた手袋部分、すなわち甲側部分の開口部エッジ近傍に形成された孔を貫通して前後方向に略水平に延びる例えば２本の係止ロッドを備え、これら係止ロッドに複数の手袋が前後に並列的に整列して吊り下げられていることが好ましい。
上記開口手段は、最前列の手袋の、前側かつ下方側の開口部エッジ、すなわち掌側部分の開口部エッジから、この開口部エッジに対し略平行となる状態で手袋内に上方から挿入された後、鉛直方向に延びる軸の周りで略９０°回動されて手袋の開口部を開く一対の爪板を備えていることが好ましい。
また、上記吊下げ手段により吊り下げられた複数の手袋のうちの最後列の手袋を、下方側に位置する開口部エッジの近傍においてこの手袋の後方側から前方に向かって弾性的に押圧する押圧手段を備えていることが好ましい。
さらに、上記駆動手段は、足踏みペダルにより作動されるものであることが好ましい。
上記方法および装置に用いられる手袋は、甲側部分および掌側部分のうちの一方の開口部エッジ、例えば掌側部分の開口部エッジが、他方の開口部エッジ、すなわち甲側部分の開口部エッジよりも指側に偏位した状態に形成され、かつ上記他方の開口部エッジを備えた手袋部分、すなわち甲側部分の開口部エッジ近傍に、この手袋の開口部を上方に向けた状態でかつ上記一方の開口部エッジ、すなわち掌側部分の開口部エッジの上方において吊下げ係止を可能にする被係止部が形成されていることを特徴とするものである。
上記被係止部は、係止ロッドの挿通を可能にする孔とすることができ、かつこの孔と孔の近傍の開口部エッジとの間に、両者間の連通を容易にする脆弱部が形成されていることが好ましい。この脆弱部は、例えば上記孔とこの孔の近傍の開口部エッジとの間に延びるミシン目とすることができる。
また、上記係止ロッドが貫通する孔は、十字状の切溝で形成してもよい。
さらに、本発明の手袋装着装置においては、複数の手袋を収容する手袋収容マガジンを着脱可能に備えていることが好ましい。
この手袋収容マガジンは、甲側部分および掌側部分のうちの一方の開口部エッジ、例えば掌側部分の開口部エッジが、他方の開口部エッジ、すなわち甲側部分の開口部エッジよりも指側に偏位して形成されてなる複数の手袋を、各手袋の開口部を上方に向け、下方側に位置する開口部エッジを備えて手袋部分、すなわち掌側部分を前側として、かつ上方側に位置する開口部エッジを備えた後側の手袋部分、すなわち甲側部分の開口部エッジ近傍を下方側に位置する掌側部分の開口部エッジの上方において係止して、前後に並列的に整列させた状態で吊下げて収容することを特徴とするものである。
この手袋収容マガジンは、上方側に位置する開口部エッジを備えた後側の手袋部分、すなわち甲側部分の開口部エッジ近傍に形成された孔を貫通して前後方向に略水平に延びる例えば２本の係止ロッドを備え、これら係止ロッドに複数の手袋が前後に並列的に整列して吊り下げられていることが好ましい。
さらにこの手袋収容マガジンは、上記係止ロッドに吊り下げられた複数の手袋のうちの最後列の手袋を、下方側に位置する開口部エッジの近傍においてこの手袋の後側から前方に向かって弾性的に押圧する押圧手段を備えていることが好ましい。
なお、上述した手袋では、掌側部分の開口部エッジを甲側部分の開口部エッジよりも指側に偏位させて形成しているが、上記とは反対に、甲側部分の開口部エッジを掌側部分の開口部エッジよりも指側に偏位させて形成し、甲側部分を前側にし、掌側部分を後側として、掌側部分の開口部エッジ近傍を係止して吊り下げるようにしてもよい。
本発明の手袋装着方法によれば、複数の手袋を、これら手袋の開口部を上方に向けた状態で上部を係止して前後に並列的に整列させて吊下げ、これら複数の手袋のうちの最前列の手袋の開口部を手指挿入可能な大きさに開くようにしているから、その最前列の手袋の開口部に手指を挿入するだけで、手袋の清潔性を損なうことなく瞬時に手袋を装着することができる。
そして、この方法の実施に使用される手袋が、掌側部分および甲側部分のうちの一方の手袋部分の開口部エッジ、例えば掌側部分の開口部エッジが、他方の手袋部分の開口部エッジ、すなわち甲側部分の開口部エッジよりも指側に偏位した状態に形成され、かつ甲側部分の開口部エッジの近傍に、この手袋の開口部を上方に向けた状態でかつ下方側に位置する掌側部分の開口部エッジの上方において吊下げ係止を可能にする被係止部が形成されていることにより、実質的に伸縮性を備えていない手袋を用いているにも拘らず、手袋の開口部を上方に向けかつ掌側部分を前側にした状態で吊下げ係止と、開口部からの手指の挿入と、手指を挿入した後の手袋の係止を外すこととが、極めて容易となり、特に、被係止部とその近傍の開口部エッジとの間にミシン目のような脆弱部を形成することにより、係止の取外しがさらに容易となる利点がある。
また、本発明の手袋装着装置によれば、上記のような構成を有する複数の手袋を、それらの開口部を上方に向け、下方側に位置する開口部エッジを備えた手袋部分を前側として、かつ上方側に位置する開口部エッジを備えた手袋部分の開口部エッジ近傍を下方側の開口部エッジの上方において係止して、前後に並列的に整列させた状態で吊下げる吊下げ手段と、吊下げられた複数の手袋のうちの最前列の手袋の開口部を手指挿入可能な大きさに開く開口手段とを備えているから、最前列の手袋の開口部に手指を挿入するだけで、手袋の清潔性を損なうことなく瞬時に手袋を装着することができる。
さらに、上記開口手段が、最前列の手袋の、前側かつ下方側の開口部エッジからこの開口部エッジに対し略平行となる状態で手袋内に上方から挿入された後、鉛直方向に延びる軸の周りで略９０°回動されて手袋の開口部を開く一対の爪板を備えていることにより、手袋の開口部を手指挿入可能な大きさに開くことが極めて容易となり、その場合に、上記吊下げ手段により吊り下げられた複数の手袋のうちの最後列の手袋を、下方側に位置する開口部エッジの近傍においてこの手袋の後側から前方に向かって弾性的に押圧する押圧手段を備えていることにより、上記吊下げ手段により吊り下げられた全手袋の下方側の開口部エッジ近傍の部位が前方に膨出した状態となり、これによって最前列の手袋の、前面を向いた開口部エッジが前方に開くから、その開口部エッジからの上記爪板の挿入が容易になる。
さらに本発明においては、上述したような構成を有する複数の手袋を上記のような態様で、前後に並列的に整列させた状態で吊下げる吊下げ手段として、手袋収容マガジンを用いることにより、手袋装着装置に対する手袋の装着、補充等が極めて容易となる利点がある。
発明を実施するための最良の形態
以下、図面に示す手袋装着装置の実施の形態に基づいて本発明を詳細に説明する。なお、以下の図において、特に左右および中央に設けられた類似の部材を区別する必要がある場合には、各部材を示す数字の後に、Ｌ（左），Ｃ（中央），Ｒ（右）を付して示してある。
図１および図２は、本発明による手袋装着装置の全体構成を概略的に示す正面図であり、図１はスライド開閉式のドアが閉じている初期状態を、図２は上記ドアが開いた作動状態をそれぞれ示す。
図１および図２において、この手袋装着装置１は、そのハウジング２の前面には、それぞれ左右にスライド式に開閉される一対のドア部材３Ｌ，３Ｒからなるスライドドア４Ｌ，４Ｒを備えている。左側のスライドドア４Ｌの背後には、多数枚の左手用手袋ＧＬを収容したマガジン５Ｌがハウジング２に対して着脱可能に取り付けられ、右側のドア４Ｒの背後には、多数枚の右手用手袋ＧＲを収容したマガジン５Ｒがハウジング２に対して着脱可能に取り付けらている。マガジン５Ｌ，５Ｒは、ハウジング２の頂部を覆うカバー２１を開いて、上方からハウジング２に着脱されるようになっている。
この手袋装着装置１は、右側のドア４の下方に設けられた足踏み式のペダル７を踏み込むことによって、すべての機構が一斉に機械的に作動され、かつペダル７から足を離すと、初期状態に戻るように構成されている。このペダル７には、ペダル７から上方へ延びてメインベース２４を貫通している駆動ワイヤ６の一端が係止されており、駆動ワイヤ６の他端は、メインベース２４上の後述するスライドベース２７に係止されている（図９および図１２参照）。
そして、図１に示すドア４Ｌ，４Ｒが閉じている初期状態からペダル７を踏み込むことにより、駆動ワイヤ６が下方へ引かれ、後述するドア開閉機構が作動されて、ドア４Ｌ，４Ｒのそれぞれの左側のドア部材３Ｌが左方に、右側のドア部材３Ｒが右方に摺動されて、図２に示す状態となり、最前列の手袋ＧＬ，ＧＲをハウジング２の前面に露出させるとともに、上記駆動ワイヤ６によって後述する手袋開口機構も同時に作動されて、手袋開口機構が備えている爪板２２，２２によって最前列の手袋ＧＬ，ＧＲの上方を向いている開口部が手指挿入可能な大きさに開かれるように構成されている。各ドア部材３Ｌ，３Ｒの下端部にはボールベアリング２５が２個ずつ取り付けられて、ドア４Ｌ，４Ｒの開閉を円滑にしている。
図３は右手用の手袋ＧＲの正面図、図４〜図８は多数枚（最大約５００枚）の右手用の手袋ＧＲを収容したマガジン５Ｒを一部を省略ないし切除して示す図であり、図４はマガジン５Ｒの正面図、図５は平面図、図６は図４のＶＩ−ＶＩ線に沿った横断面図、図７は手袋開口機構が作動される以前の初期状態を示す縦断面図、図８は手袋開口機構の作動が開始された後の中間状態を示す要部の縦断面図である。
図３から明らかなように、手袋ＧＲは（手袋ＧＬも同様）、実質的に伸縮性を備えていない薄いポリエチレン樹脂により形成され、図４に示すように、その掌側部分を前方（手前側）に向け、開口部８を上方に向けて、掌側部分と甲側部分とを密着させた状態で、マガジン５Ｒ内に吊下げ状態で前後に並列的に整列して収容されている。
この手袋ＧＲは、図３および図４に示す状態でそれぞれ左右方向に直線的に延びる掌側部分の開口部エッジ８Ｄと甲側部分の開口部エッジ８Ｕとを備えているが、両エッジ８Ｄ，８Ｕの位置（高さ）が一致しておらず、前側となる掌側部分の開口部エッジ８Ｄが甲側部分の開口部エッジ８Ｕよりも指側に、すなわち吊下げ状態で下方に偏位した状態に形成されている。そして、掌側部分の開口部エッジ８Ｄの上方における甲側部分の開口部エッジ８Ｕの近傍の左右両端に小孔１０，１０が開けられ、さらに、各小孔１０とその上方の開口部エッジ８Ｕの間にミシン目（脆弱部）１１が延設されている。
上記小孔１０，１０は、この手袋ＧＲを吊下げ係止するためにマガジン５Ｒに設けられている、前後方向に略水平に延びる２本の係止ロッド９，９を貫通させるための被係止孔であり、上記ミシン目（脆弱部）１１，１１は、上記係止ロッド９，９によってマガジン５Ｒ内に吊下げられた手袋群の最前列の手袋ＧＲの開かれた開口部から手指を挿入して手袋ＧＲを装着した後に、手を下方に押し下げることにより、その手袋ＧＲのミシン目１１，１１が破断されて小孔１０，１０と開口部エッジ８Ｕとが連通して、手指に装着された手袋ＧＲの係止ロッド９，９からの離脱を容易にしている。なお上記吊下げ用の小孔１０，１０は、一般には係止ロッド９，９の断面形状に対応した丸孔とされるが、これに限らず、係止ロッド９，９を貫通させることが可能であれば十字状の切溝であってもよい。
マガジン５Ｒは、前方が開放された箱状に形成され、かつ図５から明らかなように、上壁５ａの前縁５ｂは中央部が切り欠かれて後方に引っ込んでいる。係止ロッド９，９は、左右方向に延びる細長い手袋受板１２の背面から受板１２の面と直角に後方に延びており、係止ロッド９，９の自由端である後端から多数枚の手袋ＧＲが上記小孔１０，１０を通じて係止ロッド９，９に挿通されるようになっている。受板１２の上部背面には側方から見てＬ字状のブラケット１３が溶接されており、受板１２は、図７から明らかなように、マガジン５Ｒの上壁５ａの後方へ引っ込んだ前縁５ｂから下方へ垂下される態様で、その面をマガジン５Ｒの前面と平行になるように前方に向けて、マガジン５Ｒの上壁５ａにブラケット１３を介して着脱可能に固定されるようになっている。
またマガジン５Ｒは、係止ロッド９，９に吊り下げられた手袋群の上部を後方から押圧する押圧板１５を備えている。この押圧板１５には、その背面の左右端から後方へ延びてマガジン５の後壁５ｃを貫通する一対のロッド１６，１６が固定され、各ロッド１６の押圧板１５とマガジン５の後壁５ｃとの間にコイルスプリング１７が縮装されていることにより、押圧板１５が前方に向かってバネ付勢され、手袋群の上端部を受板１２の背面に押し付けている。押圧板１５は、係止ロッド９，９に遊嵌されているとともに、押圧板１５の前面の左右両側には、一対の押圧ブロック１８，１８が前方に突出するように固定され、さらに押圧ブロック１８，１８間を連結して、比較的ピッチの細かいコイルスプリング１９が水平に架張されている。押圧ブロック１８，１８とコイルスプリング１９とは、最後列の手袋ＧＲの掌側開口部エッジ８Ｄの若干下方部位を最後列の手袋ＧＲの後側から押圧し得る高さ位置に設けられている。
マガジン５Ｒの前面の左右両側には、上記押圧ブロック１８，１８とほぼ同様の左右間隔を有しかつ押圧ブロック１８，１８よりも若干下方の高さ位置に一対の押えローラ２０，２０が設けられており、これら押えローラ２０，２０は，図４および図７から明らかなように、最前列の手袋ＧＲの掌側部分の開口部エッジ８Ｄの下方の両端部に当接している。このように、係止ロッド９，９に吊り下げられた手袋群の掌側部分の開口部エッジ８Ｄの若干下方の部位が、押圧ブロック１８，１８および押圧ブロック１８，１８間に架張されたコイルスプリング１９によって後側から押圧され、かつこの押圧部位よりもい下方の部位の両側が押えローラ２０，２０によって前面側から押さえられていることにより、図７から明らかなように、マガジン５Ｒ内に吊下げ状態で収容された全手袋の掌側部分の開口部エッジ８Ｄ近傍が前方に膨出した状態となる。すなわち、最前列の手袋についてみれば、掌側部分の開口部エッジ８Ｄ近傍において甲側部分が前方に膨出し、これによって、掌側部分の開口部エッジ８Ｄが前方に開いた状態となっている。そして図７から明らかなように、この初期状態において、受板１２の中央部の前方において、手袋開口機構が備えている下方を向いた一対の爪板２２，２２（図１，図１５参照）が上記膨出部の上方に位置している。
この初期状態から、ペダル７が踏まれることによって、ドア４Ｌ，４Ｒが開作動されると同時に、後述する図１５以降に示す手袋開口機構が作動されると、上記一対の爪板２２，２２が最前列の手袋の前面に沿って掌側部分の開口部エッジ８Ｄに向かって下降する。爪板２２，２２は、その下方部分２２ａが図７に示すように後方に屈曲した状態に形成されているため、爪板２２，２２が下降したとき、爪板２２，２２の下端が、最前列の手袋の掌側部分の開口部エッジ８Ｄの近傍の甲側部分の膨出部に当接する。したがってこの膨出部が爪板２２，２２によって後方へ押されるが、この力が手袋群を通じてコイルスプリング１９の中央部分に伝達されて、コイルスプリング１９の中央部分を図８に示すように弾性的に後方へ撓ませる。したがって、甲側部分の膨出部が後方へ引っ込み、爪板２２，２２は甲側部分の内面に沿ってスライドしながら手袋ＧＲ内に挿入される。手袋ＧＲ内に挿入された爪板２２，２２は、次に後述するように下降と同時に左右方向にも移動し、次いで鉛直軸の周りで略９０°回動されることによって、手袋ＧＲの開口部を手指挿入可能な大きさに開口させる。
なお、図９に示すように、係止ロッド９の後部を固定し、薄い手袋受け板１２´を係止ロッド９の前端に軽く接触させた変形構造も考えられる。その場合は、手袋は係止ロッド９の前端から取り出せるから、手袋にミシン目を設ける必要がない利点がある。
ハウジング２のメインベース２４上には、ドア開閉機構と、手袋開口機構の駆動機構とが設けられているが、先ずドア開閉機構について図１０および図１１を参照して説明する。図１０は、ドア４Ｌ，４Ｒが閉じた図１に対応する初期状態を示す平面図、図１１は、ドア４Ｌ，４Ｒが開いた図２に対応する作動状態を示す平面図である。
図１０を参照すると、メインベース２４上の後部には、左右方向に水平に延びる一対のガイドロッド２６，２６が固定され、これらガイドロッド２６，２６に、前方側に水平に延びるスライドベース２７がガイドロッド２６，２６に沿って摺動可能に設けられている。前述のペダル７に一端を係止された駆動ワイヤ６は、メインベース２４に開けられた孔２４ａを貫通し、メインベース２４上に設けられたプーリ３３によってガイドロッド２６，２６と平行になるように左方に直角に屈曲されて他端をスライドベース２７に係止されている。
また、メインベース２４上には、ドア４Ｌ，４Ｒのそれぞれの左側のドア部材３Ｌ，３Ｌ同士を連結する連結部材２８Ｌと、右側のドア部材３Ｒ，３Ｒ同士を連結する連結部材２８Ｒとが、左右方向に移動可能に設けられているとともに、これら連結部材２８Ｌ，２８Ｒは、メインベース２４上に設けられた鉛直軸２９に軸支された回動部材３０の両端に、ピンと長孔との係合を介して連結されている。連結部材２８Ｌ，２８Ｒに対する回動部材３０の連結点が鉛直軸２９から等距離にあり、かつ一方の連結部材２８Ｒが、ガイドロッド２６，２６と平行に延びる連結ワイヤ３１を介してスライドベース２７に連結され、さらに回動部材３０の連結部材２８Ｒ側の先端に一端を係止されて左方に延びる引張りプリング３２の他端がメインベース２４に係止されていることにより、連結部材２８Ｌは右方に、連結部材２８Ｒは左方にそれぞれバネ付勢され、これによってドア４Ｌ，４Ｒが閉鎖状態に保持されるとともに、スライドベース２７がその移動行程の左端に位置して、ペダル７が図１に示す初期位置に保たれている。
この初期状態からペダル７を踏み込むと、スライドベース２７が駆動ワイヤ６に引かれて右方へ移動して図１１に示す状態となり、連結部材２８Ｒがプリング３２の付勢力に抗して右方へ移動するとともに、回動部材３０が時計方向へ回動して、連結部材２８Ｌを左方へ移動させるから、ドア４Ｌ，４Ｒが開かれる。そして、ペダル７から足を離せば，スライドベース２７、連結部材２８Ｒ，２８Ｌがスプリング３２の付勢力により、図９に示す初期状態に戻る。
図１２〜図１４は、図１５以降に示す手袋開口機構を駆動するための駆動機構を示し、図１２は初期状態を一部を省略して示す平面図、図１３は図１２のＸＩＩＩ−ＸＩＩＩ線に沿った断面を示す側面図、図１４は同作動状態を示す側面図である。
メインベース２４上の後部には、その左右端と中央とにそれぞれ支柱３４Ｌ，３４Ｃ，３４Ｒが左右方向に所定の間隔を保って立設され、各支柱３４Ｌ，３４Ｃ，３４Ｒには、前方に延びるアーム３５Ｌ，３５Ｃ，３５Ｒの基端が左右方向に水平に延びる軸線の周りで揺動自在に軸支されている。アーム３５Ｌ，３５Ｃ，３５Ｒは、左右方向に互いに平行に水平に延びる３本の連結部材３６〜３８によって互いに連結されて一体に揺動するように構成されているとともに、上記スライドベース２７の前端に一端を係止されて左方へ延びるワイヤ３９が、プーリ４０で上方へ直角に屈曲されて他端を中央のアーム３５Ｃの前端部に係止されていることにより、図１２に示す初期状態では前端が上になるように傾斜しているアーム３５Ｌ，３５Ｃ，３５Ｒが、ペダル７の踏み込みにより一斉に揺動されて、図１３に示すように、前端が下になるように傾斜した状態となる。
ハウジング２のメインベース２４の上方には、図１および図２において破線１４Ｌ，１４Ｃ，１４Ｒで示す位置に、前後方向に延びる細長いサブベースが水平に固設されており、各サブベース１４Ｌ，１４Ｃ，１４Ｒ上には、アーム３５Ｌ，３５Ｃ，３５Ｒの先端の上下動を、手袋開口機構の駆動部材４５Ｌ，４５Ｃ，４５Ｒが必要とする所定距離の上下動に縮小して、駆動部材４５Ｌ，４５Ｃ，４５Ｒにそれぞれ伝達するための、複数のリンク板からなるリンク機構４２Ｌ，４２Ｃ，４２Ｒ（詳細説明は省略）が設けられており、アーム３５Ｌ，３５Ｃ，３５Ｒの先端とリンク機構４２Ｌ，４２Ｃ，４２Ｒとは、各サブベース１４Ｌ，１４Ｃ，１４Ｒをそれぞれ貫通して上下方向に延びる連結部材４１Ｌ，４１Ｃ，４１Ｒによってそれぞれ連結されている。そしてリンク機構４２Ｌ，４２Ｃ，４２Ｒの終端に位置するリンク板４３Ｌ，４３Ｃ，４３Ｒの先端が、上下動する駆動部材４５Ｌ，４５Ｃ，４５Ｒにそれぞれ連結されている。
次の図１５は、初期状態における右手用手袋ＧＲの開口機構の要部の構成を示す正面図、図１６は、図１４の右半部を一部を断面として拡大して示す平面図である。また、図１７は、爪板を保持した移動板の駆動機構を一部を断面として拡大して示す正面図、図１８は、作動開始後の中間状態における右手用手袋ＧＲの開口機構の要部の構成を示す正面図、図１９は、作動状態における右手用手袋ＧＲの開口機構の要部の構成を示す正面図、図２０は、図１９の機構の右半部を一部を断面として拡大して示す平面図である。なお、この手袋開口機構は、左右の手袋ＧＬ，ＧＲのそれぞれについて同一の構成を有し、かつ各手袋開口機構が正面図で見て右半部と左半部とが互いに鏡像関係を有するように構成されているから、右手用手袋ＧＲのための開口機構の右半部のみについて以下に詳細に説明する。なお、図１５以降の図には手袋受板１２が省略されている。
図７および図８で説明したように、最前列の手袋ＧＲの前面に沿って掌側部分の開口部エッジ８Ｄに向かって下降して手袋内に挿入される一対の爪板２２，２２のうち右方の爪板２２は、初期位置から図１４の右下方に向かって平行移動される左右方向に長い長方形の移動板５０に回動自在に軸支されている。
すなわち、図１５で右方に示されている爪板２２は、図１５から明らかなように、移動板５０の内側の後方隅部に爪板２２の右側縁に沿うように設けられた鉛直軸５１の上端に回動可能に軸支されているとともに、軸５１の下端からは、先端にローラ５２を備えて爪板２２と一体に回動する短いアーム５３が右方に突出している。このアーム５３は、その先端と移動板５０との間に架張された引張りスプリング５４によって、軸５１の周りで爪板２２とともに図１６の時計方向にバネ付勢され、かつ移動板５０の下面に固設されたストッパ５５にアーム５３が当接していることにより、爪板２２は、その前面が正面を向いた図１５４に示す状態で中央の初期位置に保たれている。
サブベース１４Ｒ上には、図１５の紙面に対して垂直な左方を向いた保持面５９ａを備えた手袋保持部材５９が左右方向に若干距離移動可能に、かつスプリング６４によって左方へバネ付勢された態様で移動板５０の下方に設けられている。
また、サブベース１４Ｒ上には、左右方向に延びる一対のカム板５７，５７が移動板５０を前後から挟むように垂直に固定されている。各カム板５７には、それぞれ２条のカム溝５８，５８が併設され、各カム溝５８は、上方から斜め右下に延びるカム溝部５８ａと、このカム溝部５８ａの下端から右方へ水平に延びるカム溝部５８ｂとから構成されている。前後のカム板５７，５７にそれぞれ２条ずつ形成されたカム溝５８，５８は、図１５に示すように、正面から見て互いに一致する位置に形成されている。移動板５０の前後の側壁には、前後方向に水平に延びる軸線の周りで回動自在なローラ６０，６０がそれぞれカムフォロワとして突設されてカム溝部５８ａ，５８ａの最上部に係合している。
さらに、ブベース１４Ｒ上に立設された支柱６１には、図１７に拡大して示すような形状を有する回動アーム６２が、その基端部を支柱６１に軸支されて、図１６の紙面に平行な面内で回動自在に設けられている。この回動アーム６２は、図１７に仮想線で示す初期位置において基端部から左方へ水平に延びるアーム部６２ａと、このアーム部６２ａの途中から上方に突出するアーム部６２ｂとを備えて略逆Ｔ字状  条に形成され、アーム部６２ａの先端部にはこのアーム部６２ａに沿って延びる長孔６２ｃが形成され、上方に突出するアーム部６２ｂの先端にはローラ６３が設けられ、このローラ６３が、図１７に仮想線で示す駆動部材４５Ｒの上端に水平方向に延設された長孔４５ａに係合している。したがって、駆動部材４５Ｒが上方の初期位置から下方の作動位置へ下降するのに伴って、回動アーム６２は図１６に仮想線で示す初期位置から実線で示す作動位置まで反時計方向に回動される。
移動板５０は、図１６から明らかなように、その右端縁から中心線に沿って左方に切り込まれたスリット５０ａを備えているとともに、このスリット５０ａ内に、回動アーム６２のアーム部６２ａの先端部が挿入されている。そして、上記スリット５０ａ内には、左右方向で見てローラ６０，６０の中間に対応する位置に、前後方向（図１６の上下方向）に水平に延びる軸線の周りで回動自在なローラ６５が軸支され、このローラ６５が回動アーム６２のアーム部６２ａの長孔６２ｃに係合している。したがって、駆動部材４５Ｒが図１７に仮想線で示す上方の初期位置から、同じく仮想線で示す下方の作動位置まで下降するのに伴って、回動アーム６２が反時計方向に回動されることにより、移動板５０がその４個のローラ６０をカム溝部５８ａに沿って下降させながら、移動板５０が爪板２２とともに右下方に平行移動し、これにより爪板２２が手袋ＧＲの掌側部分の開口部エッジ８Ｄから手袋ＧＲ内に図８に示す態様で挿入され、ローラ６０，６０がそれぞれカム溝部５８ａ，５８ａの下端に達すると、右方の爪板２２は、図１８に示すように手袋ＧＲの開口部８の左右両端近傍に達する。
前記したように、移動板５０には、先端にローラ５２を備えて爪板２２と一体に回動可能なアーム５３が設けられているが、カム板５７の下方には、移動板５０が図１８に示す位置まで下降したときに、カムフォロワとしての上記ローラ５３と対向するカム面６６ａを備えたカム板６６が固定されている。
駆動部材４５Ｒがさらに図１７に実線で示す位置まで下降すると、移動板５０のローラ６０，６０はカム溝部５８ｂに沿って右方に水平に移動するから、移動板５０も図１７に実線で示す位置に達し、これに伴って、アーム５３のローラ５２がカム板６６のカム面６６ａに係合して、アーム５３はスプリング５４を伸ばしながら軸５１を中心に図１５の反時計方向に９０°回動され、これに伴って爪板２２も反時計方向に９０°回動されて、図１８および図１９に示すように、図１９の紙面に対し垂直な状態となり、手袋ＧＲの開口部８が開かれる。そして、図１９の紙面に対し垂直な状態になった爪板２２が、手袋ＧＲの開口部８の右側面を前述した保持部材５９の保持面５９ａに押し付けるから、保持部材５９はスプリング６４を圧縮しながら右方へ僅か後退し、その結果、開口された手袋ＧＲの開口部８の右側面は、スプリング６４のバネ付勢力によって爪板２２と保持面５９ａとの間に挟着されて保持される。
この手袋開口機構は、図１５，図１８および図１９に示す正面図から明らかなように、手袋ＧＲの左右の中心に関して鏡像関係に構成されているから、左方の爪板２２も、左右両方向に延びる二股のアーム部を上端に備えた駆動部材４５Ｃによって右方の爪板２２と同様に駆動されて時計方向に回動され、手袋ＧＲの開口部８を開くとともに、開口された手袋ＧＲの開口部８の左側面も、スプリング６４のバネ付勢力によって爪板２２と保持面５９ａとの間に挟着され、手袋ＧＲの開口部８全体が、手指を挿入可能な大きさに開かれ、かつ手指を挿入可能な力で保持される。
また、これと同時に、左手用の手袋ＧＬの開口部８も、手指を挿入可能な大きさに開かれ、かつ手指を挿入可能な保持力をもって保持される。
この状態で、手袋ＧＬ，ＧＲの開口部８，８から両手の手指を挿入して手袋ＧＬ，ＧＲを装着した後、さらに手袋ＧＬ，ＧＲを下方へ押し込む力を両手に加えることによって、手袋ＧＬ，ＧＲの甲側部分の開口部エッジ８Ｕと係止孔１０，１０との間に延設されたミシン目１１，１１が破断し、係止孔１０，１０と開口部エッジ８Ｕとが連通するから、手袋ＧＬ，ＧＲを係止ロッド９，９から離脱させることができ、同時に爪板２２と保持面５９ａとの間に挟着された手袋ＧＬ，ＧＲを下方へ抜くことができる。そして、マガジン５Ｌ，５Ｒ内では，押圧板１５に押されて次の手袋ＧＬ，ＧＲが最前列にセットされる。
このようにして手袋ＧＬ，ＧＲを手指に装着した後、この手袋装着装置１から両手を抜き出し、それまで踏み込んでいたペダル７から足を離せば、ドア４Ｌ，４Ｒが閉じて、図１に示した初期状態に戻る。
以上の説明で明らかなように、上述の実施の形態によれば、掌側部分の開口部エッジ８Ｄを甲側部分の開口部エッジ８Ｕよりも指側に偏位させて形成するとともに、甲側部分の開口部エッジ８Ｕの近傍に、開口部８を上方に向けた状態で、かつ下方側の開口部エッジ８Ｄの上方において係止ロッド９，９の貫通による吊下げ係止を可能にする小孔１０，１０を設けた左右の手袋ＧＬ，ＧＲを用意し、これら手袋ＧＬ，ＧＲの各複数枚を、前後方向に延びる係止ロッド９，９に掌側を前方側にして挿通して、前後に並列的に整列させてマガジン５Ｌ，５Ｒ内に吊り下げておき、ペダル７の踏み込みによって、最前列の手袋の開口部エッジ８Ｄから爪板２２，２２を挿入して開口部８を手指挿入可能に開くようにしているから、最前列の手袋の開口部に手指を挿入するだけで、手袋の清潔性を損なうことなく瞬時に手袋を装着することができる。
そして、手袋ＧＬ，ＧＲの甲側部分の開口部エッジ８Ｕ近傍に形成した、係止ロッド９，９を挿通する小孔１０，１０と開口部エッジ８Ｕとの間にミシン目１１，１１のような容易に破断可能な脆弱部を設けたことにより、手袋装着後、僅かの力を加えることによってその手袋を係止ロッド９，９から外すことができることと相俟って、初期状態から、ペダル７を踏み込み、両手を手袋装着装置１内に入れて手袋ＧＬ，ＧＲを手指に装着し、手袋を装着した両手を手袋装着装置１から抜き出し、ペダル７を踏んでいる足を離すという一連の手袋装着動作が、僅か２秒という極めて短時間で完了することができるという優れた効果を奏することができる。
また、上記手袋開口機構が、最前列の手袋の、前側かつ下方側の開口部エッジ８Ｄからこの開口部エッジ８Ｄに対し略平行となる状態で手袋内に上方から挿入された後、鉛直方向に延びる軸５１の周りで略９０°回動されて手袋の開口部８を開く一対の爪板２２，２２を備えていることにより、手袋の開口部８を手指挿入可能な大きさに開くことが極めて容易となり、その場合に、マガジン５Ｌ，５Ｒ内に吊下げ収容された複数枚の手袋のうちの最後列の手袋を、下方側に位置する開口部エッジ８Ｄの近傍においてこの手袋の後側から前方に向かって弾性的に押圧する押圧ブロック１８，１８およびコイルスプリング１９を備えていることにより、吊り下げられた全手袋の下方側の開口部エッジ８Ｄ近傍の部位が前方に膨出した状態となり、これによって最前列の手袋の、前面を向いた開口部エッジ８Ｄが前方に開くから、その開口部エッジ８Ｄからの爪板２２，２２の挿入が容易になる。
さらに本発明においては、上述したような構成を有する複数の手袋を前後に並列的に整列させた状態で吊下げる吊下げ手段として、手袋収容マガジン５Ｌ，５Ｒを用いていることにより、手袋装着装置１に対する手袋の装着、補充等が極めて容易となる利点もある。
さらに、本実施の形態においては、電源あるいは圧搾空気等のパワーソースを必要とせず、ドア開閉機構および手袋開口機構が、ペダル７の踏み込みのみにより純機械的に動作するように構成されているから、設置場所を選ばないで済む利点もある。
【図面の簡単な説明】
図１は、本発明による手袋装着装置の一実施の形態において、スライド開閉式のドアが閉じている初期状態を示す装置全体の正面図、
図２は、図１の手袋装着装置において、上記ドアが開いた作動状態を示す装置全体の正面図、
図３は図１の手袋装着装置で用いられる右手用の手袋の正面図、
図４は右手用袋を収容したマガジンを一部を省略ないし切除して示す正面図、
図５は図４のマガジンの平面図、
図６は図４のＶＩ−ＶＩ線に沿った横断面図、
図７は手袋開口機構の作動が開始される以前の初期状態におけるマガジンを示す縦断面図、
図８は手袋開口機構の作動開始後の中間状態におけるマガジンの要部を示す縦断面図、
図９は手袋開口機構の変形を示す図７に対応する縦断面図、
図１０は初期状態におけるドア開閉機構を示す平面図、
図１１は作動状態におけるドア開閉機構を示す平面図、
図１２は、初期状態における手袋開口機構の駆動機構の一部を省略して示す平面図
図１３は図１２のＸＩＩＩ−ＸＩＩＩ線に沿った断面を示す側面図
図１４は、作動状態における図１２の手袋開口機構の駆動機構を示す側面図
図１５は初期状態における右手用手袋の開口機構の要部の構成を示す正面図
図１６は図１４の機構の右半部を一部を断面として拡大して示す平面図
図１７は爪板を保持した移動板の駆動機構を一部を断面として拡大して示す正面図
図１８は作動開始後の中間状態における右手用手袋の開口機構の要部の構成を示す正面図、
図１９は作動状態における右手用手袋の開口機構の要部の構成を示す正面図、
図２０は図１９の機構の右半部を一部を断面として拡大して示す平面図である。
【図１】
2003073879.tif 000003
【図２】
2003073879.tif 000004
【図３】
2003073879.tif 000005
【図４】
2003073879.tif 000006
【図５】
2003073879.tif 000007
【図６】
2003073879.tif 000008
【図７】
2003073879.tif 000009
【図８】
2003073879.tif 000010
【図９】
2003073879.tif 000011
【図１０】
2003073879.tif 000012
【図１１】
2003073879.tif 000013
【図１２】
2003073879.tif 000014
【図１３】
2003073879.tif 000015
【図１４】
2003073879.tif 000016
【図１５】
2003073879.tif 000017
【図１６】
2003073879.tif 000018
【図１７】
2003073879.tif 000019
【図１８】
2003073879.tif 000020
【図１９】
2003073879.tif 000021
【図２０】
2003073879.tif 000022
【国際調査報告】
2003073879.tif 000023
2003073879.tif 000024